(57)【要約】【課題】画像を記憶する画像記憶装置から入力した画像データを有効利用する。【解決手段】ＤＳＣ１０は、被写体を撮像して第１の画像データを得る。ＤＳＣ１０は、画像を記憶するサーバ１６から該画像の第２の画像データを入力する。そして、ＤＳＣ１０は、撮像により得られた第１の画像データ及びサーバ１６から入力した第２の画像データを合成することにより、第３の画像データを作成する。【選択図】　図１
2004112521.tif 000002
【特許請求の範囲】
【請求項１】
被写体を撮影して第１の画像データを得る撮影手段と、
画像を記憶する画像記憶装置から該画像の第２の画像データを入力する入力手段と、
前記撮影手段による前記撮影により得られた前記第１の画像データ及び前記入力手段により入力された前記第２の画像データに基づいて、第３の画像データを作成する画像作成手段と、
を備えた撮影装置。
【請求項２】
前記画像記憶装置は複数の画像を記憶し、
前記入力手段は、前記複数の画像各々の縮小画像データを入力可能に構成され、
前記入力手段により入力された前記複数の画像各々の縮小画像データの内の少なくとも１つの縮小画像データを選択する選択手段と、
前記選択手段により選択された縮小画像データに対応する画像の画像データを出力するように前記画像記憶装置に指示する指示手段と、
を更に備えたことを特徴とする請求項１記載の撮影装置。
【請求項３】
前記撮影手段により得られた前記第１の画像データを記録する第１の記録部、前記入力手段により入力された前記第２の画像データを記録する第２の記録部、及び前記画像作成手段により作成された前記第３の画像を記録する第３の記録部を備えた記録手段を更に備えたことを特徴とする請求項１又は請求項２に記載の撮影装置。
【請求項４】
前記撮影手段により得られた前記第１の画像データ及び前記画像作成手段により作成された前記第３の画像データの少なくとも一方と、前記入力手段により入力された第２の画像データと、を対応して出力する出力手段を更に備えたことを特徴とする請求項１乃至請求項３の何れか１項に記載の撮影装置。
【請求項５】
前記撮影手段により得られた前記第１の画像データ及び前記画像作成手段により作成された前記第３の画像データの少なくとも一方が、前記第２の画像データに対応して記憶されるように前記画像記憶装置に指示する記憶指示手段を更に備えたことを特徴とする請求項１乃至請求項４の何れか１項に記載の撮影装置。
【請求項６】
前記画像作成手段は、前記第１の画像データ乃至前記第３の画像データの各々について縮小画像を作成可能に構成され、
前記第１の画像データ乃至前記第３の画像データの何れかの画像データが所定量得られた場合に、該画像データを記録する記録部から消去すると共に該縮小画像の画像データを保持する消去保持手段を更に備えることを特徴とする請求項１乃至請求項５の何れか１項に記載の撮影装置。
【発明の詳細な説明】
【０００１】
【発明の属する技術分野】
本発明は、撮影装置にかかり、より詳しくは、被写体を撮影して画像データを得る撮影装置に関する。
【０００２】
【従来の技術】
従来、形態端末からサーバ内のホーム・ページにアクセスし、画像データを受信し、形態端末において画像を閲覧する装置が提案されている（特許文献１参照）。
【０００３】
【特許文献１】
特開２００２−１３３０８９号公報
【０００４】
【発明が解決しようとする課題】
しかしながら、上記装置では、デジタルカメラからサーバにアクセスし、サーバに記録されている画像をデジタルカメラで閲覧することはできるが、閲覧することに留まり、閲覧した画像を有効利用することができない。
【０００５】
本発明は、上記技術に鑑み成されたもので、画像を記憶する画像記憶装置から入力した画像データを有効利用することの可能な撮影装置を提供することを目的とする。
【０００６】
【課題を解決するための手段】
上記目的を達成するため請求項１記載の発明は、被写体を撮影して第１の画像データを得る撮影手段と、画像を記憶する画像記憶装置から該画像の第２の画像データを入力する入力手段と、前記撮影手段による前記撮影により得られた前記第１の画像データ及び前記入力手段により入力された前記第２の画像データに基づいて、第３の画像データを作成する画像作成手段と、を備えている。
【０００７】
このように撮影手段による撮影により得られた第１の画像データ及び入力手段により入力された第２の画像データに基づいて、第３の画像データを作成しているので、画像を記憶する画像記憶装置から入力した画像データを有効利用することができる。
【０００８】
請求項２のように、前記画像記憶装置は複数の画像を記憶し、前記入力手段は、前記複数の画像各々の縮小画像データを入力可能に構成され、
前記入力手段により入力された前記複数の画像各々の縮小画像データの内の少なくとも１つの縮小画像データを選択する選択手段と、前記選択手段により選択された縮小画像データに対応する画像の画像データを出力するように前記画像記憶装置に指示する指示手段と、を備えるようにしてもよい。なお、指示手段により、選択手段により選択された縮小画像データに対応する画像の画像データを出力するように指示された画像記憶装置は、該画像データを出力する。これにより、入力手段は、この画像データを入力する。
【０００９】
このように、入力手段は、画像記憶装置内の複数の画像各々の縮小画像データを入力するので、画像記憶装置内の複数の画像各々のそのままの画像データを入力するより、データ量を減少させることができる。
【００１０】
請求項３のように、前記撮影手段により得られた前記第１の画像データを記録する第１の記録部、前記入力手段により入力された前記第２の画像データを記録する第２の記録部、及び前記画像作成手段により作成された前記第３の画像を記録する第３の記録部を備えた記録手段を更に備えるようにしてもよい。
【００１１】
また、請求項４のように、前記撮影手段により得られた前記第１の画像データ及び前記画像作成手段により作成された前記第３の画像データの少なくとも一方と、前記入力手段により入力された第２の画像データと、対応して出力する出力手段を更に備えるようにしてもよく、請求項５のように、前記撮影手段により得られた前記第１の画像データ及び前記画像作成手段により作成された前記第３の画像データの少なくとも一方が、前記第２の画像データに対応して記憶されるように前記画像記憶装置に指示する記憶指示手段を更に備えるようにしてもよい。
【００１２】
更に、請求項６のように、前記画像作成手段は、前記第１の画像データ乃至前記第３の画像データの各々について縮小画像を作成可能に構成され、前記第１の画像データ乃至前記第３の画像データの何れかの画像データが所定量得られた場合に、該画像データを記録する記録部から消去すると共に該縮小画像の画像データを保持する消去保持手段を更に備えるようにしてもよい。
【００１３】
ここで、請求項６が請求項３に基づく場合には、請求項６の上記記録部は請求項３の第１の記録部乃至第３の記録部の何れかであり、消去保持手段は、縮小画像の画像データを、第１の記録部、第２の記録部、及び第３の記録部の何れかの記録部に記録するようにしてもよい。
【００１４】
【発明の実施の形態】
以下、図面を参照して、本発明の第１の実施の形態を説明する。図１に示すように、本実施の形態にかかる撮影装置としてのデジタルスチルカメラ（以下、ＤＳＣと言う）１０は、後述する通信装置を介してサーバ１６と通信することができる。
【００１５】
尚、サーバ１６は、ＤＳＣの撮影により得られた画像データの画像処理機能を実行するためのプログラムを記録している。なお、このプログラムは、外部から書き換えることにより、バージョンアップ可能である。
【００１６】
次に、ＤＳＣ１０の制御系を説明する。図２に示すように、ＤＳＣ１０は、オートフォーカス、ストロボなどを備えた光学部４２、光学部４２を介して被写体からの光を受光するＣＣＤ４４、ＣＣＤ４４からの画像データをアナログ／デジタル変換するＡ／Ｄ変換機４６、Ａ／Ｄ変換機４６によってデジタル変換された画像データに対して基本画像処理を施す基本画像処理回路４８、及びこれらを制御する制御装置５８を備えている。尚、光学部４２、ＣＣＤ４４、Ａ／Ｄ変換機４６、基本画像処理回路４８は撮影手段に対応する。
【００１７】
制御装置５８には、表示装置２８、シャッターやモードスイッチなどからなる操作装置３２、電源装置５２が接続されている。また、制御装置５８には、圧縮回路５４を介して、図３にも示すよに、３つの記録部１、２、３（第１の記録部、第２の記録部、及び第３の記録部に対応）を有する記録装置５６が接続されている。更に、制御装置５８には、前述した通信装置３０が接続されている。
【００１８】
図３に示すように、サーバ１６は、ＤＳＣ１０の通信装置３０と通信する通信装置６２、通信装置６２にバスを介して接続されたサーバ本体６０を備えている。サーバ本体６０は、後述するように画像データを記憶する記憶装置６６と、通信装置６２を介して、記憶装置６６に記憶さえている画像データを送信すると共に、受信した画像データを記憶装置６６に記憶する画像処理回路６４を備えている。
【００１９】
図４（Ａ）に示すように、サーバ１６の記憶装置６６は、各項目ごとにファイルＦ１，Ｆ２…が設けられ、各ファイルＦ１，Ｆ２…に対応する画像データが記憶されている。
【００２０】
例えば、クラス会、家族旅行、未整理などの項目ごとにファイルＦ１、Ｆ２、Ｆ３が設けられ、更に、クラス会のファイルＦ１には、小学校、中学校、高校の各ファイルが設けられ、更に、例えば、高校のファイルには、更に９８年７月クラス会というファイルＦ４が設けられ、このように設けられた各ファイルには、対応する画像データが記憶されている。
【００２１】
次に、本実施の形態の作用を説明する。
【００２２】
最初に、ＤＳＣ１０からサーバ１６にアクセスし、サーバ１６に記録されている上記画像データを取り込む処理を説明する。
【００２３】
図５（Ａ）に示すように、ＤＳＣ１０からサーバ１６にアクセスし、例えば、ＤＳＣ１０から、９８年７月クラス会を指定して、サーバ１６に当該ファイルに記憶されている画像データの送信を指示する。具体的には、ＤＳＣ１０に設けられた図示しないモードボタンによりメニュー表示を指示する。これにより、ＤＳＣ１０の表示装置２８にメニューが表示される。ユーザは、表示されたメニューの中にある・サーバから画像データの受信を指示する項目を選択する。これにより、ＤＳＣ１０はサーバ６０に画像データの送信を指示し、これによりサーバ６０はまずフォルダ構成（図４参照）のデータをＤＳＣ１０に送信する。フォルダ構成のデータを受信したＤＳＣ１０は、フォルダ構成を表示装置２８に表示する。そして、ユーザにより例えば９８年７月クラス会のフォルダがカーソルボタンにより選択されると、ＤＳＣ１０から、９８年７月クラス会のファイルに記憶されている画像データの送信の指示をサーバ１６に送信する。
【００２４】
このように指示されたサーバ１６は、図５（Ｂ）に示すように、当該ファイルＦ４に記録されている各画像データの縮小画像データをＤＳＣ１０に出力する。
【００２５】
このように縮小画像データを入力（ダウンロード）したＤＳＣ１０は、図５（Ｃ）に示すように、各縮小画像データを一覧表示する。一覧表示された縮小画像データについて、ユーザーは、必要であると認められた画像を選択する（図５（Ｄ）参照）。この選択によってＤＳＣ１０は、選択された縮小画像に対応する画像の画像データを出力するようにサーバ１６に指示する。これによりサーバ１６は、図５（Ｅ）に示すように，指示された画像データをＤＳＣ１０に送信する。これによりＤＳＣ１０は，図５（Ｆ）に示すように，入力した画像データを表示し、記録部２に記録する。
【００２６】
また、本実施の形態にかかるＤＳＣ１０は、被写体を撮影して得られた画像の画像データを記録部１に記録する。
【００２７】
以上により、図６に示すように、記録部２には、９８年７月のクラス会の各選択された画像データ（第２の画像データに対応）が記録され、記録部１には、今回（２００２年４月のクラス会）において撮影されて得られた画像データ（第１の画像データに対応）が記録されている。
【００２８】
そして、ＤＳＣ１０の操作装置３２内の図示しない編集処理ボタンがＯＮされた場合に、図７の編集処理ルーチンがスタートし、ステップ７２で、複数の過去の画像を表示する。すなわち記録部２に記録されている前述した９８年７月のクラス会の画像データを表示する。ステップ７４で、編集用の画像を、過去の画像の内から選択する。
【００２９】
ステップ７６で、今回（２００２年４月クラス会）において撮影して記録部１に記録された画像を表示する。ステップ７８で、この表示された画像の中から編集対象の画像を選択する。
【００３０】
ステップ８０で、ステップ７４及びステップ７８で選択されたそれぞれの画像を合成する。例えば、左半分に、ステップ７４で選択された画像を、右半分に、ステップ７８で選択された画像を配置して合成するようにしてもよい。なお、合成の方法はこの方法に限定されない。
【００３１】
そしてステップ８２で、合成された画像を記録部３へ記録する。
【００３２】
そして、記録部２に記録されている画像と、記録部１及び記録部３の少なくとも一方に記録されている画像等を、例えば友人のホームサーバに、通信装置（請求項４の出力手段に対応）を介して転送するようにしてもよい。
【００３３】
また、記録部１に記録されている画像と、記録部２に記録されている画像と、が対応して記録されるようにサーバ１６に指示するようにしてもよい（請求項５の記憶指示手段に対応）。これにより、図４（Ｂ）に示すように、９８年クラス会のファイルＦ４が記録されている高校のファイルの中に２００２年クラス会のファイルＦ５が記録されるようにし、当該２００２年クラス会のファイルＦ５に、前述した今回撮影した画像の画像データが記録されるようにしてもよい。
【００３４】
ところで、ＤＳＣ１０では、上記のように、画像データを記録部１〜３に記録しているが、各記録部１〜３に画像データを所定の記録容量、例えば、最大記録容量分、記録すると、記録することができなくなる。例えば、記録部１に画像データを最大記録容量分記録すると撮影できなくなる。そこで、この場合には、記録部１〜３の内の最大記録容量分記録している記録部の画像データをサーバ１６に送信して、該画像データを該記録部から削除し、サーバ１６に送信する画像データの縮小画像の画像データを該記録部に記録するようにしてもよい（請求項６の消去保持手段に対応）。
【００３５】
以上説明したように、本実施の形態では、サーバ１６から過去の画像を入力し、入力した過去の画像と、今回撮影して得られた画像とを合成しているので、サーバから入力した画像を有効に利用することができる。
【００３６】
【発明の効果】
本発明は、撮影手段による撮影により得られた第１の画像データ及び入力手段により入力された第２の画像データに基づいて、第３の画像データを作成しているので、画像を記録する画像記録装置から入力した画像データを有効利用することができる、という効果を有する。
【図面の簡単な説明】
【図１】本実施の形態にかかるサーバ及びＤＳＣの図面である。
【図２】ＤＳＣのブロック図である。
【図３】サーバのブロック図である。
【図４】サーバ内に記録されているファイル及びファイルの内容を説明する図である。
【図５】ＤＳＣからサーバにアクセスし、サーバに記録されている画像を取り込む処理を説明する説明図である。
【図６】記録部２及び記録部１に記録されている画像の内容を示した図である。
【図７】ＤＳＣが実行する編集処理ルーチンを示すフローチャートである。
【符号の説明】
４２　光学部
４４　ＣＣＤ
３０　通信装置
５８　制御装置
【図１】
2004112521.tif 000003
【図２】
2004112521.tif 000004
【図３】
2004112521.tif 000005
【図４】
2004112521.tif 000006
【図５】
2004112521.tif 000007
【図６】
2004112521.tif 000008
【図７】
2004112521.tif 000009